(57)【要約】【課題】２画面を用いる３Ｄ表示での適切な表示を図る。【解決手段】移動体通信端末１は、筐体１１と筐体１２を備え、それぞれに表示部１６０Ａと表示部１６０Ｂを備えている。表示部１６０Ａと表示部１６０Ｂはそれぞれ３Ｄ表示機能を有している。移動体通信端末１の制御部は、移動体通信端末１が上下開きであるか左右開きであるかを検出するとともに、筐体１１と筐体１２とのなす開角度を検出する。左右開きで３Ｄ表示をおこなう場合、開角度が変化すると３Ｄ表示の視認状態が変化する。よって、移動体通信端末１の制御部は、検出された開角度に応じて視角を算出し、３Ｄ表示に用いるパラメータを変更することで、開角度が変化しても、良好な視認状態を維持させる。【選択図】図１
2010237619.tif 000002
【特許請求の範囲】
【請求項１】
第１の表示画面を有する第１の筐体と、
前記第１の筐体に可動連結され、第２の表示画面を有する第２の筐体と、
を含む表示装置であって、
前記第１の表示画面と前記第２の表示画面の双方で３次元画像表示をおこなう表示手段と、
前記第１の筐体と前記第２の筐体との間の連結状態を検出する連結状態検出手段と、
前記連結状態検出手段によって検出された連結状態に基づいて、前記表示手段による３次元画像表示に対する視角を算出する視角算出手段と、
前記連結状態検出手段によって検出された連結状態と、前記視角算出手段によって算出された視角とに基づいて、前記表示手段が前記３次元画像表示に用いるパラメータを選択する表示制御手段と、
を備えることを特徴とする表示装置。
【請求項２】
前記表示手段は、前記表示制御手段が選択したパラメータから、前記第１の表示画面と前記第２の表示画面を連動的に制御して、前記３次元画像表示をおこなう、
ことを特徴とする請求項１に記載の表示装置。
【請求項３】
前記表示装置は、前記第１の筐体と前記第２の筐体とが開閉可能に連結された折り畳み型の表示装置であり、
前記連結状態検出手段は、少なくとも、前記第１の筐体と前記第２の筐体とのなす角度を検出し、
前記視角算出手段は、前記連結状態検出手段が検出した角度に基づいて視角を算出する、
ことを特徴とする請求項１または２に記載の表示装置。
【請求項４】
前記連結状態検出手段が検出した角度に基づいて、前記折り畳み型の表示装置による表示の視認状態が良好であるか否かを判別する視認良否判別手段をさらに備え、
前記表示手段は、前記視認良否判別手段によって視認状態が良好でないと判別された場合、前記第１の表示画面、及び／又は、前記第２の表示画面を用いた前記３次元画像表示をおこなわない、
ことを特徴とする請求項３に記載の表示装置。
【請求項５】
前記表示装置は、前記第１の筐体と前記第２の筐体とが摺動可能に連結されたスライド型の表示装置であり、
前記連結状態検出手段は、少なくとも、前記第１の筐体と前記第２の筐体との間のスライド量を検出し、
前記視角算出手段は、前記連結状態検出手段が検出したスライド量に基づいて視角を算出する、
ことを特徴とする請求項１または２に記載の表示装置。
【請求項６】
前記連結状態検出手段が検出したスライド量に基づいて、前記第１または第２の表示画面による表示の視認状態が良好であるか否かを判別する視認良否判別手段をさらに備え、
前記表示手段は、前記視認良否判別手段によって視認状態が良好でないと判別された場合、前記第１の表示画面、及び／又は、前記第２の表示画面を用いた前記３次元画像表示をおこなわない、
ことを特徴とする請求項５に記載の表示装置。
【請求項７】
前記第１の表示画面と前記第２の表示画面による展開方向を検出する展開方向検出手段をさらに備え、
前記表示制御手段は、前記第１の表示画面と前記第２の表示画面とが左右方向に展開していることが検出された場合に、前記パラメータの選択をおこなう、
ことを特徴とする請求項１乃至６のいずれか１項に記載の表示装置。
【請求項８】
少なくとも、前記連結状態検出手段が検出する事項についてのパラメータを条件パラメータとして記憶するパラメータ記憶手段をさらに備える、
ことを特徴とする請求項１乃至７のいずれか１項に記載の表示装置。
【請求項９】
前記パラメータ記憶手段は、前記条件パラメータに対応づけられた、前記表示手段が表示動作に用いる制御パラメータを記憶する、
ことを特徴とする請求項８に記載の表示装置。
【請求項１０】
前記パラメータ記憶手段は、左右方向に展開している前記第１の表示画面と前記第２の表示画面を用いた３次元画像表示に用いられるパラメータのみを記憶し、
前記表示制御手段は、前記第１の表示画面と前記第２の表示画面とが上下方向に展開していることが検出された場合、前記パラメータ記憶手段が記憶している、左右方向に展開している前記第１の表示画面と前記第２の表示画面を用いた３次元画像表示に用いられるパラメータから、前記第１または第２の表示画面の正面から前記３次元画像表示が視認される場合のパラメータを選択する、
ことを特徴とする請求項８乃至９のいずれか１項に記載の表示装置。
【請求項１１】
前記表示制御手段は、前記連結状態検出手段によって検出された連結状態と、前記視角算出手段によって算出された視角とに基づいて条件パラメータを特定し、該特定した条件パラメータから特定される制御パラメータを選択する、
ことを特徴とする請求項８乃至１０のいずれか１項に記載の表示装置。
【請求項１２】
前記表示手段は、前記展開方向検出手段が検出した展開方向が、左右方向および上下方向のいずれでもない場合、前記第１の表示画面、及び／又は、前記第２の表示画面を用いた前記３次元画像表示をおこなわない、
ことを特徴とする請求項７乃至１１のいずれか１項に記載の表示装置。
【請求項１３】
前記パラメータには、前記３次元画像表示における飛び出し量を規定するパラメータを含む、
ことを特徴とする請求項１乃至１２のいずれか１項に記載の表示装置。
【請求項１４】
前記表示制御手段は、前記飛び出し量を規定するパラメータを、前記第１の表示画面および前記第２の表示画面における表示位置に応じて異ならせて選択する、
ことを特徴とする請求項１３に記載の表示装置。
【請求項１５】
第１の表示画面を有する第１の筐体と、
前記第１の筐体に可動連結され、第２の表示画面を有する第２の筐体と、
を含む表示装置を制御するコンピュータに、
前記第１の表示画面と前記第２の表示画面の双方で３次元画像表示をおこなう機能と、
前記第１の筐体と前記第２の筐体との間の連結状態を検出する機能と、
検出された連結状態に基づいて、前記３次元画像表示に対する視角を算出する機能と、
前記検出された連結状態と、前記算出された視角とに基づいて、前記３次元画像表示に用いるパラメータを選択する機能と、
を実現させることを特徴とするプログラム。
【発明の詳細な説明】
【技術分野】
【０００１】
本発明は、表示装置、および、プログラムに関し、特に、２以上の画面による立体画像表示に好適な表示装置、および、プログラムに関する。
【背景技術】
【０００２】
携帯電話などの移動体通信端末の多くは、いわゆる、折り畳み式やスライド式などのような複数の可動筐体で構成された形態とすることで、携帯性と操作性の両立を図っている。
【０００３】
移動体通信端末に用いられる表示装置は、液晶表示パネルを用いたものが主流であるが、このような表示装置にはタッチパネル機能を備えたものもあり、入力操作に用いるテンキーや各種ボタン群などを、いわゆるソフトウェアキーとして実現しているものもある。
【０００４】
よって、折り畳み式やスライド式などの形態において、物理的なボタンをソフトウェアキーに置き換えた形態とすることも考えられる。この場合、２画面以上の表示部が連結された構成になり、より多様な表示形態を実現することができる。
【０００５】
さらに、液晶表示技術を利用した立体画像表示技術も確立しており（例えば、特許文献１）、このような立体画像表示技術において、良好な３次元表示を維持させるために、ユーザの視点位置（頭部位置）を検出し、検出した視点位置に追従するよう３次元画像を形成する技術が知られている（例えば、特許文献２）。
【先行技術文献】
【特許文献】
【０００６】
【特許文献１】特許第２８５７４２９号公報
【特許文献２】特開平１０−３３３０９１号公報
【発明の概要】
【発明が解決しようとする課題】
【０００７】
ここで、２画面以上の表示部を連結させた構成に３次元表示技術を適用すれば、従来の１画面表示での立体画像表示よりも多様な視覚効果を実現することができる。
【０００８】
しかしながら、立体画像は、鑑賞時の視認条件（例えば、視距離や角度、鑑賞者の眼間距離、など）に合った表示制御をおこなわないと視認しづらくなるという欠点がある。折り畳み式やスライド式などの構成の場合では、２画面間の連結状態が変化すると視認条件がずれてしまい、良好な３次元表示を維持することができない場合がある。
【０００９】
このような不都合を解消するために、特許文献２に記載されるような技術を用いることも考えられるが、視点位置（頭部位置）を検出して追従させるためには、位置検出用センサが必要になる上、追従のために必要となるパラメータなども多様となるため、ハードウェア構成やソフトウェア処理が複雑になってしまい、移動体通信端末などのような小型の装置に適用することは困難である。その上、２画面以上で表示させるには、さらに処理が複雑になるため、適用することは一層困難となる。
【００１０】
本発明は、上記実状に鑑みてなされたものであり、２以上の画面を用いた立体画像表示に好適な表示装置、および、プログラムを提供することを目的とする。
【課題を解決するための手段】
【００１１】
上記目的を達成するため、本発明の第１の観点にかかる表示装置は、
第１の表示画面を有する第１の筐体と、
前記第１の筐体に可動連結され、第２の表示画面を有する第２の筐体と、
を含む表示装置であって、
前記第１の表示画面と前記第２の表示画面の双方で３次元画像表示をおこなう表示手段と、
前記第１の筐体と前記第２の筐体との間の連結状態を検出する連結状態検出手段と、
前記連結状態検出手段によって検出された連結状態に基づいて、前記表示手段による３次元画像表示に対する視角を算出する視角算出手段と、
前記連結状態検出手段によって検出された連結状態と、前記視角算出手段によって算出された視角とに基づいて、前記表示手段が前記３次元画像表示に用いるパラメータを選択する表示制御手段と、
を備えることを特徴とする。
【００１２】
上記表示装置において、
前記表示手段は、前記表示制御手段が選択したパラメータから、前記第１の表示画面と前記第２の表示画面を連動的に制御して、前記３次元画像表示をおこなうことが望ましい。
【００１３】
上記表示装置は、前記第１の筐体と前記第２の筐体とが開閉可能に連結された折り畳み型の表示装置であり、この場合、
前記連結状態検出手段は、少なくとも、前記第１の筐体と前記第２の筐体とのなす角度を検出し、
前記視角算出手段は、前記連結状態検出手段が検出した角度に基づいて視角を算出することが望ましい。
【００１４】
また、上記折り畳み型の表示装置は、
前記連結状態検出手段が検出した角度に基づいて、前記折り畳み型の表示装置による表示の視認状態が良好であるか否かを判別する視認良否判別手段をさらに備えていてもよく、
この場合、
前記表示手段は、前記視認良否判別手段によって視認状態が良好でないと判別された場合、前記第１の表示画面、及び／又は、前記第２の表示画面を用いた前記３次元画像表示をおこなわないことが望ましい。
【００１５】
前記表示装置は、前記第１の筐体と前記第２の筐体とが摺動可能に連結されたスライド型の表示装置であり、この場合、
前記連結状態検出手段は、少なくとも、前記第１の筐体と前記第２の筐体との間のスライド量を検出し、
前記視角算出手段は、前記連結状態検出手段が検出したスライド量に基づいて視角を算出する、
ことが望ましい。
【００１６】
また、上記スライド型の表示装置は、
前記連結状態検出手段が検出したスライド量に基づいて、前記第１または第２の表示画面による表示の視認状態が良好であるか否かを判別する視認良否判別手段をさらに備えていてもよく、
この場合、
前記表示手段は、前記視認良否判別手段によって視認状態が良好でないと判別された場合、前記第１の表示画面、及び／又は、前記第２の表示画面を用いた前記３次元画像表示をおこなわないことが望ましい。
【００１７】
上記表示装置は、
前記第１の表示画面と前記第２の表示画面による展開方向を検出する展開方向検出手段をさらに備えていることが望ましく、この場合、
前記表示制御手段は、前記第１の表示画面と前記第２の表示画面とが左右方向に展開していることが検出された場合に、前記パラメータの選択をおこなうことが望ましい。
【００１８】
上記表示装置は、
少なくとも、前記連結状態検出手段が検出する事項についてのパラメータを条件パラメータとして記憶するパラメータ記憶手段をさらに備えていることが望ましい。
【００１９】
この場合、
前記パラメータ記憶手段は、前記条件パラメータに対応づけられた、前記表示手段が表示動作に用いる制御パラメータを記憶していてもよい。
【００２０】
ここで、
前記パラメータ記憶手段は、左右方向に展開している前記第１の表示画面と前記第２の表示画面を用いた３次元画像表示に用いられるパラメータのみを記憶するものであってもよく、この場合、
前記表示制御手段は、前記第１の表示画面と前記第２の表示画面とが上下方向に展開していることが検出された場合、前記パラメータ記憶手段が記憶している、左右方向に展開している前記第１の表示画面と前記第２の表示画面を用いた３次元画像表示に用いられるパラメータから、前記第１または第２の表示画面の正面から前記３次元画像表示が視認される場合のパラメータを選択することが望ましい。
【００２１】
上記表示装置において、
前記表示制御手段は、前記連結状態検出手段によって検出された連結状態と、前記視角算出手段によって算出された視角とに基づいて条件パラメータを特定し、該特定した条件パラメータから特定される制御パラメータを選択することが望ましい。
【００２２】
上記表示装置において、
前記表示手段は、前記展開方向検出手段が検出した展開方向が、左右方向および上下方向のいずれでもない場合、前記第１の表示画面、及び／又は、前記第２の表示画面を用いた前記３次元画像表示をおこなわないことが望ましい。
【００２３】
上記表示装置において、
前記パラメータには、前記３次元画像表示における飛び出し量を規定するパラメータを含んでいてもよい。
【００２４】
この場合、
前記表示制御手段は、前記飛び出し量を規定するパラメータを、前記第１の表示画面および前記第２の表示画面における表示位置に応じて異ならせて選択してもよい。
【００２５】
上記目的を達成するため、本発明の第２の観点にかかるプログラムは、
第１の表示画面を有する第１の筐体と、
前記第１の筐体に可動連結され、第２の表示画面を有する第２の筐体と、
を含む表示装置を制御するコンピュータに、
前記第１の表示画面と前記第２の表示画面の双方で３次元画像表示をおこなう機能と、
前記第１の筐体と前記第２の筐体との間の連結状態を検出する機能と、
検出された連結状態に基づいて、前記３次元画像表示に対する視角を算出する機能と、
前記検出された連結状態と、前記算出された視角とに基づいて、前記３次元画像表示に用いるパラメータを選択する機能と、
を実現させることを特徴とする。
【発明の効果】
【００２６】
本発明によれば、２画面以上を用いた立体画像表示に好適な表示装置等を提供することができる。
【図面の簡単な説明】
【００２７】
【図１】本発明の実施形態１にかかる折り畳み型の移動体通信端末の例を示す図であり、（ａ）は、閉状態の例を示し、（ｂ）は、上下開きの例を示し、（ｃ）は、左右開きの例を示す。
【図２】図１に示した移動体通信端末の構成を示すブロック図である。
【図３】図２に示した表示部の構成を説明するための図であり、（ａ）は、表示部の構成を模式的に示し、（ｂ）は、表示部で表示される左目用画像の例を示し、（ｃ）は、表示部で表示される右目用画像の例を示し、（ｄ）は、３次元画像の画素配列の例を示す。
【図４】図３（ａ）に示す視差バリアパネルを説明するための図であり、（ａ）は、バリアパターンの例を示し、（ｂ）は、バリアパターンによる画像透過の仕組みを模式的に示す。
【図５】図１に示す折り畳み型の移動体通信端末における視角を説明するための図であり、（ａ）は、左右開きでの利用形態を模式的に示し、（ｂ）は、（ａ）に示した利用形態における、開角度の変化と視角の変化を模式的に示す。
【図６】図２に示す記憶部に格納される「パラメータテーブル」の例を示す図である。
【図７】図２に示す制御部によって実現される機能構成の例を示す図である。
【図８】図２に示す記憶部に格納される「動作設定テーブル」の例を示す図である。
【図９】本発明の実施形態にかかる「表示制御処理」を説明するためのフローチャートである。
【図１０】図９に示す「表示制御処理」で実行される「３Ｄ表示処理」を説明するためのフローチャートである。
【図１１】図９に示す「表示制御処理」で実行される「状態変化時３Ｄ表示処理」を説明するためのフローチャートである。
【図１２】本発明の実施形態１にかかる、折り畳み型の移動体通信端末の他の例を示す図であり、（ａ）は、閉状態の例を示し、（ｂ）は、縦方向の上下開きの例を示し、（ｃ）は、横方向の左右開きの例を示し、（ｄ）は、横方向の上下開きの例を示し、（ｅ）は、縦方向の左右開きの例を示す。
【図１３】本発明の実施形態１にかかる、スライド型の移動体通信端末の例を示す図であり、（ａ）は、閉状態の例を示し、（ｂ）は、上下開きの例を示し、（ｃ）は、左右開きの例を示す。
【図１４】図１３に示すスライド型の移動体通信端末における視角を説明するための図であり、（ａ）は、左右開きでの利用形態を模式的に示し、（ｂ）は、（ａ）に示した利用形態における、スライド量の変化と視角の変化を模式的に示し、（ｃ）は、ユーザまでの距離とスライド量から視角の変化を求める原理を模式的に示す。
【図１５】本発明の実施形態２にかかる動作を説明するための図であり、（ａ）は、移動体通信端末の開角度に応じた３Ｄ表示の飛び出し量の変化を模式的に示し、（ｂ）は、この場合の開角度と飛び出し量の関係を示すグラフである。
【図１６】本発明の実施形態２にかかる動作の他の例を説明するための図であり、（ａ）は、画面位置によって３Ｄ表示の飛び出し量を異ならせた場合を模式的に示し、（ｂ）は、この場合の画面位置と飛び出し量の関係を示したグラフであり、（ｃ）は、画面位置と飛び出し量の関係の他の例を示すグラフである。
【発明を実施するための形態】
【００２８】
本発明にかかる実施形態を、図面を参照して以下に説明する。
【００２９】
（実施形態１）
本実施形態では、本発明にかかる表示装置を、例えば、携帯電話などの移動体通信端末として実現した場合を例に説明する。本実施形態では、図１に示すような、いわゆる「折り畳み型」の移動体通信端末を想定する。
【００３０】
本実施形態にかかる移動体通信端末１は、図１に示すように、筐体１１と筐体１２とがヒンジなどによって可動連結された構成を有する。ここで、図１（ａ）は、折り畳み型の移動体通信端末１が閉じられた状態（閉状態）を示している。
【００３１】
本実施形態にかかる移動体通信端末１は、図１（ａ）に示した閉状態から、筐体の長手方向に開閉する構造であるものとする。図１（ｂ）は、図１（ａ）に示した閉状態から、略矩形の形状である筐体の短辺を回転軸として縦方向に開いた状態（開状態）を示している。図１（ｂ）に示すように、筐体１１に第１の表示部１６０Ａが構成され、筐体１２に第２の表示部１６０Ｂが構成されている。
【００３２】
この場合、上下に開いた表示部１６０Ａと表示部１６０Ｂのいずれもが縦方向で視認される状態である。この開閉方向は、折り畳み型の移動体通信端末における一般的な開閉方向であり、移動体通信端末１の音声通話機能を使用するときや、電子メールの作成・閲覧時などに用いられる形態である。
【００３３】
図１において、表示部１６０Ａおよび表示部１６０Ｂが示す「１２３」および「ＡＢＣ」は、画面の表示方向を表している。図１（ｂ）に示した開状態においては、ユーザの視野において、表示部１６０Ａと表示部１６０Ｂが上下に視認されることになる（以下、このような状態を「上下開き」とする）。
【００３４】
図１（ｃ）は、図１（ｂ）のような縦方向の開状態から、移動体通信端末１全体を左右いずれかの方向に９０°回転させた状態を示している。すなわち、左右に開いた表示部１６０Ａと表示部１６０Ｂのいずれもが横方向で視認される状態である。この開閉方向は、例えば、写真や動画、テレビ放送などの閲覧時などに用いられる形態である。この場合、ユーザの視野において、表示部１６０Ａと表示部１６０Ｂが左右に視認されることになる（以下、このような状態を「左右開き」とする）。
【００３５】
上述したように、本実施形態にかかる移動体通信端末１には、筐体１１と筐体１２の双方に表示部１６０（表示部１６０Ａ、表示部１６０Ｂ）が構成されている。筐体１２側の表示部１６０Ｂは、一般的な移動体通信端末と同様の画面表示に用いられる。筐体１１側の表示部１６０Ａは、タッチパッド機能を有することで、一般的な移動体通信端末におけるテンキーなどに代わる入力機能を供する。なお、表示部１６０Ａは、このような入力装置として機能するだけでなく、表示部１６０Ｂとともに画像表示をおこなうことで、２以上の画面表示がおこなえるものとする。
【００３６】
このような筐体構造の移動体通信端末１の内部構成を、図２を参照して説明する。図２は、移動体通信端末１の内部構成を示すブロック図である。
【００３７】
図示するように、移動体通信端末１は、制御部１１０、通信部１２０、音声処理部１３０、記憶部１４０、操作部１５０、表示部１６０（表示部１６０Ａおよび表示部１６０Ｂ）、状態検出部１７０、などから構成されている。
【００３８】
制御部１１０は、例えば、ＣＰＵ（Central Processing Unit：中央演算処理装置）やワークエリアとなるＲＡＭ（Random Access Memory）などから構成され、所定の動作プログラムを実行することで移動体通信端末１の各部を制御する。すなわち、移動体通信端末１の各構成は制御部１１０によって制御されるとともに、各構成間の情報伝達などは制御部１１０を介しておこなわれる。
【００３９】
通信部１２０は、移動体通信端末１が通信をおこなう際の無線アクセスにかかる構成であり、例えば、ＣＤＭＡ（Code Division Multiple Access：符号分割多重接続）方式やＧＳＭ（Global Systems for Mobile communications）方式などの通信方式を用いた通信装置などで構成され、当該通信方式に対応したアンテナ１２１による無線送受信をおこなうことで、近傍の基地局と無線通信をおこなう。
【００４０】
音声処理部１３０は、例えば、音声データ用のコーデック回路などから構成され、移動体通信端末１の音声入出力にかかる処理をおこなう。すなわち、通信部１２０で受信したデジタル音声データをアナログ音声信号に変換してスピーカ１３１から出力する受話動作や、マイクロフォン１３２から入力されたユーザの発話音声をデジタル音声データに変換して通信部１２０に送出する送話動作などをおこなう。
【００４１】
記憶部１４０は、例えば、フラシュメモリなどの記憶装置から構成され、制御部１１０が実行する動作プログラムを格納する他、本発明を実現するために必要な種々のデータを格納する。
【００４２】
操作部１５０は、例えば、筐体１１の外面上に構成されたボタンやキーなどから構成され、移動体通信端末１のユーザによって操作される。操作部１５０は、各ボタンやキーなどと接続された入力回路などを備え、ユーザの操作に応じた入力信号を生成して制御部１１０に入力する。
【００４３】
表示部１６０は、例えば、液晶表示装置などから構成された表示出力装置であり、制御部１１０の制御によって画像などを表示出力する。本実施形態にかかる表示部１６０は、立体画像表示（以下、「３Ｄ表示」とする）可能な表示装置であるとする。このような３Ｄ表示可能な表示部１６０の構成を、図３を参照して説明する。
【００４４】
本実施形態にかかる表示部１６０は、図３（ａ）に示すように、表示パネル１６１と、視差バリアパネル１６２、などから構成されることで、３Ｄ表示を実現している。
【００４５】
表示パネル１６１は、液晶表示パネルなどから構成され、表示画像を表示する。
【００４６】
視差バリアパネル１６２は、液晶表示パネルと同様の構成を有し、表示パネル１６１における画像表示によって発生した光の透過方向を制御する。このため、視差バリアパネル１６２は、表示パネル１６１と、表示パネル１６１の表示画面を見る者（「鑑賞者」：移動体通信端末１の使用者など）との間に位置するよう、表示部１６０内に構成されている。
【００４７】
このような構成の表示部１６０で３Ｄ表示をおこなう動作原理を、図３（ｂ）〜図３（ｄ）、および、図４を参照して説明する。
【００４８】
視差バリアパネル１６２を用いて３Ｄ表示をおこなう場合、左目と右目の視差を利用する。このため、表示部１６０で３Ｄ表示をおこなう場合には、図３（ｂ）に示すような左目用画像と、図３（ｃ）に示すような右目用画像が用意される。左目用画像と右目用画像（以下、「左右画像」とする）はいずれも同じ表示対象を示しているが、視差に応じて左右方向にずらしてある。
【００４９】
表示部１６０の表示パネル１６１は、左目用画像を構成する画素と、右目用画像を構成する画素の表示位置を、左右方向に異ならせて交互に表示する。つまり、図３（ｄ）に示すように、右目用画像を構成している画素を奇数列に、左目用画像を構成している画素を偶数列に配列した画像として表示させる。
【００５０】
換言すると、左目用画像と右目用画像のそれぞれを、１列（ライン）おきとなるよう画素配列させ、左目用画像と右目用画像とでラインが互い違いとなるよう表示させる。なお、画素配列のパターンは１列単位でなくてもよく、例えば、複数画素分でラインを構成してもよい。また、画素単位が整数値でなくてもよい。
【００５１】
そして、表示パネル１６１は、このように左目用画像と右目用画像がストライプ状に配列された画像（以下、「３Ｄ画像」とする）を表示する。ここで、左目用画像の画素で構成されているラインが鑑賞者の左目に到達するようにし、右目用画像の画素で構成されているラインが鑑賞者の右目に到達するように表示することで、図３（ｂ）および図３（ｃ）で示したような視差のある２つの画像がそれぞれに対応する目で認識されることになる。この結果、各画像が鑑賞者の脳内で合成され、立体的な画像として視認される。
【００５２】
ここで、視差バリアパネル１６２は、３Ｄ画像内の各ラインをそれぞれに対応した目の方向に表示させる動作をおこなう。上述したように、視差バリアパネル１６２は、液晶表示パネルと同様の構造であるため、各画素に対応する電極への電圧印加を制御することで、表示パネル１６１の画像表示によって発生した光を透過させたり、遮光したりすることができる。
【００５３】
つまり、図４（ａ）に示すような、ストライプ上のバリアパターンを、表示パネル１６１に表示されている３Ｄ画像のラインに対応するよう形成する。そして、図４（ｂ）に示すように、表示パネル１６１に表示された左右それぞれの画素は、視差バリアパネル１６２に形成したバリアパターンの透過列を透過して、鑑賞者の左右の目に到達する。
【００５４】
ここで、透過列を透過した光が対応する目に届くようにするためには、透過列のそれぞれで透過方向を制御する必要がある。この場合、透過列毎に印加電圧を制御することで、液晶分子の配向方向を変えればよい。ここで、対応する目に届くような透過方向は、鑑賞者の目から表示部１６０までの距離（以下、「視距離」とする）と、鑑賞者の右目と左目の間隔（以下、「眼間距離」とする）によって変化する。
【００５５】
本実施形態では、上述したように、折り畳み型の移動体通信端末１を構成している筐体１１と筐体１２の双方に表示部１６０（表示部１６０Ａおよび表示部１６０Ｂ）が構成されており、それぞれが３Ｄ表示可能な構成とする。この場合、図１（ｂ）で示したような左右開きの状態で３Ｄ表示をおこなうことで、例えば、ワイド画面に対応した画像を、より大きな表示画面で３Ｄ表示することができる。
【００５６】
このときの移動体通信端末１と鑑賞者（ユーザ）とは、図５（ａ）に示すような位置関係となる。ここで、本実施形態にかかる移動体通信端末１は折り畳み型であるため、筐体１１と筐体１２とのなす角度、すなわち、表示部１６０Ａの表示画面と表示部１６０Ｂの表示画面とのなす角度（以下、「開角度」とする）が可変である。本実施形態で採用している３Ｄ表示方式は、左右の視差を利用したものであるため、開角度の違いが３Ｄ表示の視認に大きく影響する。
【００５７】
例えば、図５（ｂ）に示すように、表示部１６０Ａの画面と表示部１６０Ｂの画面との中心位置から一定の距離（視距離）で鑑賞者（ユーザ）が３Ｄ表示を鑑賞する場合、移動体通信端末１の開角度が変化すると、ユーザの視角が変化する。
【００５８】
この視角の変化は、演算によって求めることができる。図５（ｂ）に例示するように、開角度がβであるときの視角が約±αであった場合、開角度がΔβ分大きく（β＋Δβ）なったときの視角は、約±（α−１／２Δβ）と求めることができる。このとき、視角の変化量Δαは、約−１／２Δβと求めることができる。
【００５９】
このように、折り畳み型の移動体通信端末１を左右開きにした状態で３Ｄ表示をおこなった場合、開角度に応じて視角が変化する。この視角の変化は３Ｄ表示の視認に大きく影響するため、視距離や眼間距離などといった一般的な条件の他に、移動体通信端末１の開角度に応じた視角も視認条件として重要となる。
【００６０】
よって、本実施形態では、これらの条件をパラメータ化した「条件パラメータ」を予め複数用意することで、３Ｄ表示が適切に視認されるようにする。この「条件パラメータ」は、記憶部１４０に格納されている。また、本実施形態では、用意された条件パラメータのそれぞれについて、適切な透過方向のバリアパターンを形成させるための「制御パラメータ」を設定し、記憶部１４０に格納されている条件パラメータと対応づけて格納する。本実施形態では、図６に示すような「パラメータテーブル」が、記憶部１４０に格納されているものとする。
【００６１】
図示するように、「パラメータテーブル」には、移動体通信端末１の開角度に応じて、条件パラメータと制御パラメータが対応づけられている。ここでは、開角度毎に眼間距離と視距離の組み合わせが複数設定されている。また、各組み合わせに応じた視角αも設定されている。そして、各組み合わせにおいて適切な透過方向とするための制御パラメータが記録されている。この制御パラメータは、例えば、表示画面方向によって適切に３Ｄ画像を表示するために設定された表示パネル１６１の制御値と、その表示の際に適切な透過方向となる視差バリアパネル１６２のライン毎の制御値（例えば、印加電圧など）である。
【００６２】
つまり、図３（ｄ）に示したような３Ｄ画像を表示パネル１６１に表示し、視差バリアパネル１６２に形成したバリアパターンを用いることで３Ｄ表示させる場合、特定の条件下となったときに３Ｄ表示として視認されることになるので、移動体通信端末１の開角度が変わると、３Ｄ画像における左右画像の配列を変更する必要があり、左右画像の配列が変更されれば、それに合わせたバリアパターンに変更する必要がある。このため、開角度に対応して設定された条件パラメータの組み合わせ毎に、最適な左右画像の配列とさせるための表示パネル１６１の制御値と、その場合に最適となるバリアパターンを形成させるための視差バリアパネル１６２の制御値が、制御パラメータとして設定されている。
【００６３】
なお、表示パネル１６１についての制御パラメータは、例えば、左右画像の画素配列の周期や順序などについて、表示パネル１６１の分解能に応じて設定されるものとする。よって、表示パネル１６１についての制御パラメータは、制御できる範囲の分解能において設定されるので、ある程度離散的なものになる。また、縦長方向での画面表示と横長方向での画面表示で縦横の画素ピッチが異なる場合、表示パネル１６１の制御パラメータは、表示画面方向に応じて異なる制御値となる。
【００６４】
ここで、条件パラメータの眼間距離は、同一の鑑賞者については固定値となるため、デフォルト値を設定しておくことで、効率的な処理をおこなうことができる。例えば、移動体通信端末１での３Ｄ表示が初回となるときには、一般的な眼間距離と視距離の組み合わせがデフォルト値として指定され、２回目以降においては、前回の３Ｄ表示で用いられたパラメータがデフォルト値として指定されるようにする。このため、図６においてハッチングで示しているように、デフォルト値がいずれであるかが識別できるようにしておく。
【００６５】
本実施形態では、図１（ｃ）で示したような、左右開きの移動体通信端末１の表示部１６０Ａと表示部１６０Ｂを使った３Ｄ表示において参照されるパラメータテーブルのみが記憶部１４０に用意されているものとするが、上下開き（図１（ｂ））での３Ｄ表示において参照されるパラメータテーブルが別途用意されていてもよい。
【００６６】
図２に戻り、移動体通信端末１の構成の説明を続ける。
【００６７】
状態検出部１７０は、移動体通信端末１の状態を検出するためのセンサ群などから構成される。本実施形態では、移動体通信端末１の方向を検出するためのセンサ（例えば、地磁気センサや角速度センサ、加速度センサなど）や、移動体通信端末１の開角度を検出するためのセンサ（例えば、ロータリ・エンコーダなど）などから構成され、検出結果を示す信号を制御部１１０に入力する。
【００６８】
以上が本実施形態にかかる移動体通信端末１の主要な構成であるが、これらは本発明を実現するために必要な構成であり、移動体通信端末の主要機能や付加機能を実現するために必要となるその他の構成については適宜備えられているものとする。
【００６９】
以上のような構成の移動体通信端末１の動作を説明する。ここで、本実施形態にかかる移動体通信端末１は、図１（ａ）〜図１（ｃ）で例示したような、移動体通信端末１の姿勢が上下開きである場合と左右開きである場合のそれぞれにおいて、表示部１６０の表示制御をおこなうことで、開閉方向に応じた画像表示がなされるものとする。ここで、本実施形態にかかる表示部１６０は、３Ｄ表示可能なものであるので、開閉方向に応じて画像表示を制御する際に、３Ｄ表示が適切に視認されるよう視差バリアパネル１６２を制御する。
【００７０】
このような動作をおこなうため、記憶部１４０に格納されている動作プログラムを制御部１１０が実行することで、図７に示すような機能が実現される。図示するように、制御部１１０は、動作モード処理部１１１、画像取得部１１２、視認状態判別部１１３、表示制御部１１４、などとして機能する。
【００７１】
動作モード処理部１１１は、移動体通信端末１の使用者が操作部１５０を操作することで入力された信号などに基づいて、移動体通信端末１の動作モードを指定する他、指定した動作モードに応じた各機能への指示などをおこなう。
【００７２】
画像取得部１１２は、移動体通信端末１の表示部１６０で画面表示をおこなう際の表示画面を構成する画像データなどを取得する。本実施形態では、３Ｄ表示用に作成された画像の画像データや、通常の表示（以下、「２Ｄ表示」とする）に用いられる画像データなどを取得する。これらの画像データは、例えば、記憶部１４０などに格納されているものとし、この場合画像取得部１１２は、画面表示に必要となる画像データなどを適宜記憶部１４０から取得する。
【００７３】
視認状態判別部１１３は、状態検出部１７０からの入力信号に基づいて、移動体通信端末１が左右開きであるか上下開きであるかを判別する。つまり、重力方向に対する移動体通信端末１の方向を示す状態検出部１７０からの検出信号に基づいて、移動体通信端末１が図１（ｂ）に示すような上下開きとなっているのか、図１（ｃ）に示すような左右開きになっているのかが判別される。また、視認状態判別部１１３は、状態検出部１７０からの検出信号に基づいて、移動体通信端末１の開角度を随時算出する。
【００７４】
表示制御部１１４は、動作モード処理部１１１で指定された動作モード、画像取得部１１２が取得した画像データの属性、および、視認状態判別部１１３が判別した表示部１６０の開閉方向や開角度に基づいて、記憶部１４０に格納されているパラメータを選択し、選択したパラメータで表示部１６０の表示動作を制御する。この場合、表示制御部１１４は、３Ｄ表示の表示動作についての動作設定にしたがって表示制御をおこなうものとする。この動作設定は、例えば、図８に示すような「動作設定テーブル」として記憶部１４０に格納されているものとする。
【００７５】
ここで、図８に示すように、動作設定の項目として、例えば、「表示モード」、「閉状態時の表示」、「縦横変更時の表示」、「連結状態変化時の表示」、などが用意されているものとする。
【００７６】
「表示モード」は、表示部１６０で３Ｄ表示をおこなうか否かを指定する設定であり、デフォルトで３Ｄ表示をおこなわせたい場合は、選択肢「３Ｄ」が有効となるよう設定され、３Ｄ表示モードがオンとなる。一方、３Ｄ表示をおこなわせない場合は、選択肢「２Ｄ」が有効となるよう設定され、３Ｄ表示モードがオフとなる。
【００７７】
「閉状態時の表示」は、移動体通信端末１が閉状態の時に表示部１６０で画面表示をおこなうか否かを指定する設定であり、移動体通信端末１のような折り畳み型の場合では、通常、表示をおこなわないことを指定する「しない」が有効となるよう設定される。
【００７８】
「縦横変更時の表示」は、移動体通信端末１が上下開きから左右開き、あるいは、左右開きから上下開きに変更している途中（縦横変更時）に、表示部１６０における画面表示をおこなうか否かを指定する設定である。
【００７９】
ここで、縦横変更時は、移動体通信端末１の使用者が移動体通信端末１を９０°回転させる状態であり、表示画面方向が縦長から横長もしくは横長から縦長に変わる途中である。この場合、表示画面方向が斜めになる。上述したように、表示部１６０で３Ｄ表示をおこなう場合には、視差バリアパネル１６２によってバリアパターンが形成されるが、表示画面方向が斜めのときには、表示パネル１６１で表示している画像の方向も斜めになるので、これに合わせたバリアパターンとする必要がある。
【００８０】
この場合において、表示画面方向が縦長や横長のときには、単純なストライプ状のバリアパターンでよいが、縦横変更時は、表示画面方向の角度が随時変化する。この場合、処理が複雑となり、表示制御が角度変化に追従できず、３Ｄ表示の表示品質が低下することがある。また、斜め方向のバリアパターン自体をきれいに形成させることが困難となることもある。よって、「縦横変更時の表示」では、表示画面方向が斜めとなる縦横変更時では、３Ｄ表示をおこなわずに２Ｄ表示とさせる設定（「２Ｄ」）と、表示をおこなわせない設定（「しない」）が選択肢として用意される。
【００８１】
「連結状態変化時の表示」は、移動体通信端末１の筐体の連結状態が変化しているとき、すなわち開角度が変化しているときにどのように表示させるかを指定する設定である。ここでは、連結状態（開角度）変化時でも表示をさせる場合には「する」が有効となるよう設定され、連結状態（開角度）の変化時は表示させない場合は「しない」が有効となるよう設定される。また、「する」が有効となっている場合、表示を「２Ｄ」とするか「３Ｄ」とするかが設定される。
【００８２】
これらの各項目は、例えば、移動体通信端末１の使用者が操作部１５０を操作することなどによって設定される。
【００８３】
図７に示した機能構成によって実行される処理を説明する。ここでは、上述したような構成の移動体通信端末１で画面表示をおこなう際に実行される「表示制御処理」を、図９に示すフローチャートを参照して説明する。この「表示制御処理」は、表示部１６０での表示動作がおこなわれる場合（例えば、移動体通信端末１の電源オン、スリープモードからの復帰、など）に開始される。
【００８４】
処理が開始されると、視認状態判別部１１３が状態検出部１７０を制御することで、移動体通信端末１の開角度を検出し（ステップＳ１０１）、検出された開角度に基づいて、移動体通信端末１が「開状態」であるか否かを判別する（ステップＳ１０２）。
【００８５】
ここで、移動体通信端末１が「閉状態」である場合（ステップＳ１０２：Ｎｏ）、視認状態判別部１１３はその旨を表示制御部１１４に通知する。この場合、表示制御部１１４は、記憶部１４０の動作設定テーブルを参照し、閉状態時の表示動作設定に応じた表示（２Ｄまたは表示オフ）となるよう表示部１６０を制御する（ステップＳ１０３）。ここで、「閉状態」と判別する開角度は０°に限られるものではなく、表示部１６０の表示画面を視認しにくい開角度以下であることが検出された場合に、「閉状態」であると判別してもよい。
【００８６】
すなわち、開角度に基づいて、表示部１６０による表示が視認できない、もしくは、視認しにくいと判別される場合には、３Ｄ表示をおこなわずに、２Ｄ表示または表示オフとする。この場合、記憶部１４０の動作設定テーブル（図８）における「閉状態時の表示」にかかる設定項目を細分化してもよい。例えば、視認しにくい（視認状態が良好でない）開角度（例えば、３０°以下）では２Ｄ表示をおこなうようにし、視認できない（視認不可）開角度（例えば、１５°以下）では表示オフとなるよう設定してもよい。
【００８７】
一方、移動体通信端末１が「開状態」である場合（ステップＳ１０２：Ｙｅｓ）、視認状態判別部１１３はその旨を動作モード処理部１１１に通知する。この場合、動作モード処理部１１１は、動作モード処理部１１１が記憶部１４０の動作設定テーブルを参照することで、表示モードが「３Ｄ」であるか否かを判別する（ステップＳ１０４）。ここで、表示モードが「２Ｄ」であれば（ステップＳ１０４：Ｎｏ）、表示制御部１１４により、２Ｄ表示にかかる制御がおこなわれる（ステップＳ１０３）。
【００８８】
一方、表示モードが「３Ｄ」であれば（ステップＳ１０４：Ｙｅｓ）、動作モード処理部１１１は、その旨を、画像取得部１１２、視認状態判別部１１３、表示制御部１１４に通知し、「３Ｄ表示処理」を実行する（ステップＳ２００）。この「３Ｄ表示処理」を、図１０に示すフローチャートを参照して説明する。
【００８９】
処理が開始されると、視認状態判別部１１３は、状態検出部１７０を制御し、装置方向を検出する（ステップＳ２０１）。視認状態判別部１１３は、状態検出部１７０が検出した装置方向に基づき、移動体通信端末１が左右開きであるか上下開きであるかを判別する（ステップＳ２０２）。
【００９０】
移動体通信端末１が左右開きである場合（ステップＳ２０２：Ｙｅｓ）、視認状態判別部１１３が状態検出部１７０を制御することで、そのときの開角度を検出し（ステップＳ２０３）、表示制御部１１４に通知する。
【００９１】
表示制御部１１４は、記憶部１４０のパラメータテーブル（図６）にアクセスし、検出された開角度に対応する条件パラメータを特定する（ステップＳ２０４）。ここでは、前回の３Ｄ表示時と同じユーザであると仮定する。同じユーザであれば、眼間距離や視距離の変化はないので、これらのデフォルト値の組み合わせが特定される。
【００９２】
一方、移動体通信端末１が上下開きである場合（ステップＳ２０２：Ｎｏ）、視差を利用した３Ｄ表示において、上下方向の開角度は視認に影響しない。この場合、表示制御部１１４は、ユーザが画面の正面から視認しているものとして、左右開き用に用意されているパラメータテーブルのパラメータを流用する。この場合、例えば、開角度１８０°に対応する条件パラメータ（デフォルト値の組み合わせ）を特定する（ステップＳ２０５）。なお、画面の横方向の長さに対して視距離が短い場合は、左右開き用のテーブルのパラメータとの差異が生じるが、その影響を考慮した補正を演算によっておこなってもよい。
【００９３】
条件パラメータを特定すると、表示制御部１１４は、特定した条件パラメータの組み合わせに対応づけられている制御パラメータを読み出し（ステップＳ２０６）、読み出した制御パラメータに基づいて、左右画像の生成（ステップＳ２０７）と視差バリアパネル１６２の制御（ステップＳ２０８）をおこなうことで、３Ｄ表示をおこなう。この場合、表示制御部１１４は、表示部１６０Ａと表示部１６０Ｂの双方における視差バリアパネル１６２の制御をおこなう。すなわち、読み出した制御パラメータによる表示制御を、表示部１６０Ａと表示部１６０Ｂの双方に対しておこなうことで、表示部１６０Ａと表示部１６０Ｂが連動して３Ｄ表示するよう制御される。
【００９４】
ここで、表示制御部１１４は、３Ｄ表示の視認状態をユーザに確認するための「視認状態確認画面」を表示部１６０に表示する（ステップＳ２０９）。この「視認状態確認画面」には、３Ｄ表示の視認状態が良好であるか否かをユーザに問い合わせるメッセージとともに、良好であるか不良であるかを入力するための選択肢が選択可能に表示される。
【００９５】
ユーザは、操作部１５０を操作することで、３Ｄ表示の視認状態が良好であるか不良であるかを入力する。このようなユーザ操作に応じた入力信号は、操作部１５０から制御部１１０に入力される。この場合、動作モード処理部１１１を介して表示制御部１１４に入力内容が通知され、現在のパラメータによる３Ｄ表示の視認状態が良好であるか否かが判別される（ステップＳ２１０）。
【００９６】
視認状態が良好ではない場合（ステップＳ２１０：Ｎｏ）、表示制御部１１４は、視認状態が良好となるまで条件パラメータを変更する（ステップＳ２１１）。
【００９７】
そして、視認状態が良好とされた場合（ステップＳ２１０：Ｙｅｓ）、ステップＳ２１１で条件パラメータのデフォルト値が変更されていれば（ステップＳ２１２：Ｙｅｓ）、パラメータテーブルにおけるデフォルト値を変更して（ステップＳ２１３）、「表示制御処理」（図９）のフローに戻る。
【００９８】
このように、表示開始時においては、左右開きであるか上下開きであるかによって３Ｄ表示のパラメータが選択され、実際の表示に対するユーザの評価に基づいて、使用するパラメータが調整される。
【００９９】
こうして３Ｄ表示が開始されると、視認状態判別部１１３は、状態検出部１７０からの検出信号を随時取得することで、所定の終了イベントにより処理を終了するまで、移動体通信端末１に状態変化が発生したか否かを判別する（ステップＳ１０５、ステップＳ１０８：Ｎｏ）。
【０１００】
この場合の状態変化とは、移動体通信端末１が左右開きから上下開き、もしくは、上下開きから左右開きに変化することや、開角度が変化することをいう。よって、状態検出部１７０によって検出される移動体通信端末１の方向や開角度に変化があると、視認状態判別部１１３は状態変化が発生したと判別する。
【０１０１】
状態変化が発生したと判別した場合（ステップＳ１０５：Ｙｅｓ）、視認状態判別部１１３は、検出された状態変化の内容などを表示制御部１１４に通知する。この場合、表示制御部１１４は、記憶部１４０の動作設定テーブル（図８）を参照し、状態変化時、すなわち、縦横変更時及び／又は連結状態の変化時に３Ｄ表示をおこなう設定となっているか否かを判別する（ステップＳ１０６）。
【０１０２】
ここで、検出された状態変化の際に３Ｄ表示をおこなわない設定となっていれば（ステップＳ１０６：Ｎｏ）、表示制御部１１４は、その設定に応じた表示制御（２Ｄ表示や表示オフ）をおこなう（ステップＳ１０３）。
【０１０３】
一方、検出された状態変化の際に３Ｄ表示をおこなう設定となっている場合（ステップＳ１０６：Ｙｅｓ）、「状態変化時３Ｄ表示処理」が実行される（ステップＳ３００）。この「状態変化時３Ｄ表示処理」を、図１１に示すフローチャートを参照して説明する。
【０１０４】
処理が開始されると、表示制御部１１４は、視認状態判別部１１３からの通知に基づき、検出された変化が、開角度であるか縦横変更であるかを判別する（ステップＳ３０１）。
【０１０５】
検出された変化が縦横変更である場合（ステップＳ３０１：Ｎｏ）、表示制御部１１４は、記憶部１４０の動作設定テーブル（図８）における「縦横変更時の表示」の設定に応じた表示制御（２Ｄまたは表示オフ）をおこなう（ステップＳ３０２）。
【０１０６】
一方、検出された変化が開角度の変化である場合（ステップＳ３０１：Ｙｅｓ）、視認状態判別部１１３は、検出された開角度から、移動体通信端末１が「開状態」であるか否かを判別する（ステップＳ３０３）。移動体通信端末１が「閉状態」である場合（ステップＳ３０３：Ｎｏ）、視認状態判別部１１３はその旨を表示制御部１１４に通知する。この場合、表示制御部１１４は、記憶部１４０の動作設定テーブルを参照し、閉状態時の表示動作設定に応じた表示（２Ｄまたは表示オフ）となるよう表示部１６０を制御する（ステップＳ３０２）。
【０１０７】
「開状態」である場合（ステップＳ３０３：Ｙｅｓ）、表示制御部１１４は、状態検出部１７０が検出する移動体通信端末１の方向に基づいて、現在の移動体通信端末１の状態が左右開きであるか上下開きであるかを判別する（ステップＳ３０４）。
【０１０８】
左右開きである場合（ステップＳ３０４：Ｙｅｓ）、視認状態判別部１１３は、状態検出部１７０からの検出信号に基づいて、開角度の変化量（「Δβ」とする）を検出し（ステップＳ３０５）、検出した開角度の変化量Δβに基づいて、視角の変化量（「Δα」とする）を算出する（ステップＳ３０６）。
【０１０９】
すなわち、図５（ｂ）に示したように、変化前の開角度をβとし、そのときの視角を約±αとした場合、変化後の開角度であるβ＋Δβに対応する視角は約±（α−１／２Δβ）となる。この場合の視角の変化量Δαは、約−１／２Δβとなる。このように、開角度の変化量から、視角の変化量が演算によって求められる。
【０１１０】
視認状態判別部１１３は、算出した視角の変化量Δαを表示制御部１１４に通知する。表示制御部１１４は、記憶部１４０のパラメータテーブル（図６）を参照し、視認状態判別部１１３からの通知に基づいて、現在の視角に対応する制御パラメータを読み出す（ステップＳ３０７）。
【０１１１】
図６に示すように、パラメータテーブルには、条件パラメータとして視角が含まれている。ここでは、眼間距離や視距離と開角度によって予め求められる視角が、複数の定数（「αｎ」（ｎは整数））として記録されている。表示制御部１１４は、このようなパラメータテーブルを参照することで、視認状態判別部１１３が算出した視角の変化量Δαなどに基づく現在の視角に近い定数αｎを特定し、対応する制御パラメータを読み出す。
【０１１２】
一方、上下開きにおいて開角度の変化が検出された場合（ステップＳ３０４：Ｎｏ）は、視差を利用した３Ｄ表示においては影響しないので、上述した「３Ｄ表示処理」（図１０）の場合と同様に、開角度１８０°に対応する制御パラメータが読み出される（ステップＳ３０８）。
【０１１３】
表示制御部１１４は、読み出した制御パラメータに基づいた左右画像の生成（ステップＳ３０９）と視差バリアパネル１６２の制御をおこなうことで、開角度の変化に応じた視角で適正となる３Ｄ表示をおこなう。
【０１１４】
このような、移動体通信端末１の状態変化に応じた表示制御が、当該状態変化が終了するまで繰り返しおこなわれる（ステップＳ３１１：Ｎｏ）。すなわち、左右開きで開角度が変化した場合は、変化した開角度に応じた異なる制御パラメータによって３Ｄ表示が制御される。
【０１１５】
そして、当該状態変化が終了すると（ステップＳ３１１：Ｙｅｓ）、「表示制御処理」（図９）のフローに戻る。
【０１１６】
「表示制御処理」では、「状態変化時３Ｄ表示処理」（図１１）における状態変化が「縦横変更」であった場合には（ステップＳ１０７：Ｙｅｓ）、「３Ｄ表示処理」（図１０）を実行することで、変更後の状態（左右開きか上下開き）に応じた３Ｄ表示がおこなわれる（ステップＳ２００）。
【０１１７】
そして、以上の処理が、終了イベント（例えば、移動体通信端末１の電源オフやスリープモードへの移行など）が発生するまで繰り返しおこなわれ（ステップＳ１０８：Ｎｏ）、終了イベントの発生によって（ステップＳ１０８：Ｙｅｓ）、処理が終了する。
【０１１８】
以上説明したように、本実施形態によれば、折り畳み型の移動体通信端末において、筐体の双方に３Ｄ表示可能な表示部を備えている場合、左右開きの状態で３Ｄ表示をおこなっている際に開角度に変化が生じると、その開角度の変化に応じた視角の変化に基づいて３Ｄ表示制御がおこなわれるので、開角度の変化が生じても、良好な視認性を維持することができる。
【０１１９】
ここで、折り畳み型の移動体通信端末には２方向に開閉するものもあり、本実施形態にかかる移動体通信端末１が、このような２方向開閉方式を採用していてもよい。すなわち、図１２（ａ）に示した閉状態から、図１２（ｄ）に示すように、筐体の長辺を回転軸として横方向に開閉してもよい。この場合、上下に開いた表示部１６０Ａと表示部１６０Ｂのいずれもが横方向で視認される状態であり、ユーザの視野において、表示部１６０Ａと表示部１６０Ｂが上下に視認されることになる（上下開き（横））。この形態は、例えば、ウェブ画面の閲覧やゲーム画面などに用いられる。
【０１２０】
図１２（ｅ）は、図１２（ｄ）に示した横方向の開状態から、移動体通信端末１全体を左右いずれかの方向に９０°回転させた状態を示している。すなわち、左右に開いた表示部１６０Ａと表示部１６０Ｂのいずれもが縦方向で視認される状態であり、ユーザの視野において、表示部１６０Ａと表示部１６０Ｂが左右に視認されることになる（左右開き（縦））。この形態は、例えば、文書などの表示画面に用いられる。
【０１２１】
このような２方向に開閉する移動体通信端末１の場合、左右開きについて、図１２（ｃ）に示すような横方向の左右開き（左右開き（横））と、図１２（ｅ）に示すような縦方向の左右開き（左右開き（縦））があるため、それぞれについての開角度に応じたパラメータテーブルを用意することで、左右開き時における開角度の変化に応じた３Ｄ表示制御をおこなうことができる。また、画面の縦横比に基づいて、一方の左右開きについてのパラメータから他方の左右開きについてのパラメータを演算によって求めることができるのであれば、いずれかの左右開きについてのパラメータテーブルのみでもよい。
【０１２２】
本実施形態で説明した３Ｄ表示制御は、２画面が左右方向に展開する場合において、２画面間の位置関係が変化した場合の３Ｄ表示の視認性を維持するためのものであり、例示した折り畳み型だけでなく、スライド型の移動体通信端末にも応用可能である。
【０１２３】
本発明を適用することのできるスライド型の移動体通信端末の例を、図１３を参照して説明する。この場合の移動体通信端末１’は、図１３（ａ）に示すように、筐体１１と、筐体１１に対して平行に摺動する筐体１２から構成され、筐体１２には表示部１６０Ｂが構成されている。ここで、図１３（ａ）では、筐体１１と筐体１２とが重なっている状態（閉状態）を示しており、筐体１２をスライド（摺動）させることで、図１３（ｂ）に示すように、筐体１１の主面が露出する。
【０１２４】
折り畳み型の移動体通信端末１と同様、移動体通信端末１’の筐体１１にも表示部１６０Ａが構成されており、タッチパッド機能による入力装置として機能する他、移動体通信端末１と同様、表示部１６０Ｂとともに画面表示をおこなう。
【０１２５】
この場合の表示部１６０Ａと表示部１６０Ｂは、移動体通信端末１の場合と同様、いずれも３Ｄ表示をおこなえるものである。そして、スライド型の場合、図１３（ｃ）に示したような、表示部１６０Ａと表示部１６０Ｂが左右に展開される状態が「左右開き」となり、左右開きで使用される際の移動体通信端末１’と鑑賞者（ユーザ）は、図１４（ａ）に示すような位置関係となる。
【０１２６】
折り畳み型の場合、左右開きにおいて開角度が変化すると３Ｄ表示の視認性に影響がでたが、スライド型の場合は、左右開きにおけるスライド量の変化が３Ｄ表示の視認性に影響する。すなわち、図１４（ｂ）に示すように、筐体１１と筐体１２との間のスライド量により、表示部１６０Ａと表示部１６０Ｂの位置関係が左右方向で変化するためである。
【０１２７】
この場合の視角の変化は、図１４（ｂ）に示すように、スライド量に応じた表示部１６０Ａと表示部１６０Ｂの両端間距離Ｌ（画面間距離Ｌ）によって変化する。この視角の変化は、ユーザと移動体通信端末１’との距離ｄがわかれば演算によって求めることができる。したがって、スライド型の移動体通信端末１’の場合、状態検出部１７０は、筐体のスライド量（直線移動量）を検出するセンサ（例えば、リニア・エンコーダ）などによって構成される。
【０１２８】
なお、ユーザと移動体通信端末１’との距離ｄは、図６で例示したようなパラメータテーブルで条件パラメータとして設定されている視距離を用いることができる他、状態検出部１７０に距離を検出するセンサ（例えば、フォトセンサや超音波センサなど）を構成することで距離ｄを検出するようにしてもよい。
【０１２９】
そして、視認状態判別部１１３は、このような状態検出部１７０からの検出信号に基づいて画面間距離Ｌを算出すると、パラメータテーブルから特定される条件パラメータの視距離から距離ｄを認識し、これらに基づいて視角を算出する。
【０１３０】
視角の算出は、図１４（ｃ）に示すように、画面間距離をＬ、ユーザまでの距離をｄとした場合、およその視角±αは、ｔａｎ−１（Ｌ／２ｄ）を演算することで求められる。この場合に、筐体がΔＬスライドすると、画面間距離はＬ＋ΔＬとなり、この場合のおよその視角±α’は、ｔａｎ−１（（Ｌ＋ΔＬ）／２ｄを演算することで求められる。そして、視角の変化量であるΔαは、ｔａｎ−１（（Ｌ＋ΔＬ）／２ｄ−ｔａｎ−１（Ｌ／２ｄ）の演算によって求められる。
【０１３１】
このように、視角の変化量を演算によって求められるので、折り畳み型の場合と同様、予め求められる視角をパラメータテーブルの条件パラメータに設定しておき、「表示制御処理」（図９）や「３Ｄ表示処理」（図１０）、「状態変化時３Ｄ表示処理」（図１１）における開角度の検出に代えて、画面間距離Ｌの検出をおこなえば、左右開き時に筐体をスライドさせた場合でも、スライド量に応じた適切な３Ｄ表示となるよう表示制御することができる。
【０１３２】
なお、スライド型の移動体通信端末１’の場合、スライド量に基づいて「開状態」であるか「閉状態」であるかを判別することができる。図１３（ａ）に示したような「閉状態」、あるいは、「開状態」でもスライド量が小さい場合、表示部１６０Ｂの表示は視認することができるが、表示部１６０Ａの表示は視認することができない、もしくは、視認しにくい状態となる。よって、「閉状態」、あるいは、「開状態」でもスライド量が小さいと判別された場合、表示制御部１１４は、記憶部１４０の動作設定テーブルを参照し、閉状態時の表示動作設定に応じた表示（２Ｄまたは表示オフ）となるよう表示部１６０を制御する。すなわち、スライド量に基づいて、表示部１６０Ａまたは表示部１６０Ｂによる表示が視認されない、もしくは、視認しにくい状態と判別される場合には、表示部１６０（表示部１６０Ａ、及び／又は、表示部１６０Ｂ）では３Ｄ表示をおこなわずに、２Ｄ表示または表示オフとする。
【０１３３】
（実施形態２）
上記実施形態１で説明したように、本発明を適用することにより、折り畳み型の移動体通信端末１において、開角度の変化に応じて３Ｄ表示の表示制御をおこなうことができる。本実施形態では、このような開角度の変化に応じた表示制御の応用例を示す。
【０１３４】
３Ｄ表示は、表示画像がいかにも立体的に表示されているように視認させるものであるが、このような３Ｄ表示のパラメータとして「飛び出し量」がある。このパラメータにより、画像が画面からどのくらい飛び出しているように視認させるかを制御することができる。
【０１３５】
折り畳み型の移動体通信端末１において、開角度に応じて飛び出し量パラメータを変えるように制御することができる。一例として、図１５（ａ）に示すように、開角度が小さいときには飛び出し量を少なくし、開角度が大きくなるにつれ飛び出し量が多くなるよう制御することができる。図１５（ａ）における点線は、３Ｄ表示された画像が立体的に視認されたときに感じられる飛び出し量を模式的に示している。このような制御をおこなうことで、筐体の開閉動作によってポップアップ絵本のような表示効果をもたらすことができる。
【０１３６】
この場合、例えば、図１５（ｂ）に示すような開角度と飛び出し量の関係となるようなパラメータ設定をしておき、状態検出部１７０によって検出された開角度に応じた飛び出し量で表示制御すればよい。
【０１３７】
その他の応用例として、例えば、図１６（ａ）に示すように、２画面で１つの３次元画像を表示する場合などにおいて、画面の位置によって飛び出し量を異ならせるようにしてもよい。図１６（ａ）における点線は、３Ｄ表示された画像が立体的に視認されたときに感じられる飛び出し量を模式的に示している。この例では、開角度が大きくなるにつれて全体の飛び出し量が大きくするとともに、図１６（ｂ）に示すように、視角の中心付近（画面の内側）と視角の外縁付近（画面の外側）で飛び出し量の増減率を異ならせる。この場合、例えば、画面の内側での飛び出し量を画面の外側より大きくするよう、パラメータの変化を各画面で連動するよう制御することで、ポップアップ絵本のように内側がより飛び出しているように視認させることができる。
【０１３８】
また、図１６（ｃ）に示すような、マイナス方向への飛び出し量パラメータを含ませるような設定をおこなうことで、開角度の変化によって３Ｄ表示の立体感をより強調するような表示効果をおこなうこともできる。
【０１３９】
実施形態１の場合と同様、スライド型の移動体通信端末１’においても、飛び出し量のパラメータをスライド量に応じて変化させることで、多様な表示効果を実現することができる。
【０１４０】
以上説明したように、本発明を上記実施形態の如く適用することにより、２画面を用いた３Ｄ表示において適切に視認させることができる。
【０１４１】
すなわち、折り畳み型やスライド型などのような、可動連結された筐体を有する移動体通信端末などの表示装置において、筐体の連結状態を検出し、検出した連結状態から視角を算出してパラメータを選択することで、連結状態が変化しても適切な３Ｄ表示をおこなうことができる。この場合に、選択したパラメータを用いて各画面を連動して制御するので、個別に制御する必要がない。
【０１４２】
折り畳み型の場合、開閉による筐体間の角度に基づいて視角を算出するので、開角度が変化しても適切な３Ｄ表示をおこなうことができる。この場合、筐体間の角度に基づいて視認状態の良否を判別し、視認状態が良好とはならない角度であれば、３Ｄ表示をおこなわずに２Ｄ表示や表示オフとなるよう制御するので、３Ｄ表示が視認しにくい場合には２Ｄ表示で見やすくし、表示が視認できない場合には表示をおこなわずに省電力化を図ることができる。
【０１４３】
また、スライド型の場合は、筐体間のスライド量や鑑賞者との距離に基づいて視角を算出するので、スライド量が変化しても適切な３Ｄ表示をおこなうことができる。この場合、スライド量に基づいて、２画面のうちのいずれかが視認不可と判別される場合には、当該画面では３Ｄ表示をおこなわずに２Ｄ表示や表示オフとなるよう制御するので、省電力化を図ることができる。
【０１４４】
また、左右開きから上下開きへの変更途中などでは、表示画面が斜めとなり３Ｄ表示制御が困難となるので、このような場合には、３Ｄ表示をおこなわずに、２Ｄ表示や表示オフとすることで、視認しやすくしたり、省電力化を図ったりすることができる。
【０１４５】
これらの場合において、２画面が左右方向に展開している場合にパラメータを変更する制御をおこなうので、視差を利用する３Ｄ表示の場合において、適切な表示制御をおこなうことができる。また、開角度やスライド量の変化が３Ｄ表示の視認に影響しない上下開きなどの場合には、制御動作をおこなわないので、消費電力の低減を図ることができる。
【０１４６】
連結状態の変化に対応した条件パラメータなどを記憶手段に記憶させておくことで、高速に処理することができる。また、視差を利用した３Ｄ表示の場合、左右開きの場合に視認性への影響が大きいので、左右開きの場合に用いられるパラメータのみを記憶手段に記憶させ、上下開き時には左右開き用のパラメータを流用することで、記憶手段の容量を節約することができる。
【０１４７】
また、パラメータに、３次元画像表示における飛び出し量を規定するパラメータを含めることで、多様な表示を実現することができる。
【０１４８】
上記実施形態は一例であり、本発明の適用範囲はこれに限られない。すなわち、種々の応用が可能であり、あらゆる実施の形態が本発明の範囲に含まれる。
【０１４９】
例えば、上記実施形態では、本発明にかかる表示装置を移動体通信端末によって実現した場合を例示したが、画像を立体的に視認させる表示手段を備えたものであれば、移動体通信端末に限られず、種々の表示装置に本発明を適用することができる。
【０１５０】
また、本発明にかかる構成を予め備えた表示装置だけでなく、既存の表示装置にプログラムを適用することで、本発明にかかる表示装置として機能させることができる。
【０１５１】
このようなプログラムの適用方法は任意であり、例えば、ＣＤ−ＲＯＭやメモリカードなどの記憶媒体に格納して適用できる他、例えば、インターネットなどの通信媒体を介して適用することもできる。
【符号の説明】
【０１５２】
１…移動体通信端末、１’…移動体通信端末、１１…筐体、１２…筐体、１１０…制御部、１１１…動作モード処理部、１１２…画像取得部、１１３…視認状態判別部、１１４…表示制御部、１２０…通信部、１２１…アンテナ、１３０…音声処理部、１３１…スピーカ、１３２…マイクロフォン、１４０…記憶部、１５０…操作部、１６０（１６０Ａ、１６０Ｂ）…表示部、１６１…表示パネル、１６２…視差バリアパネル、１７０…状態検出部
【図１】
2010237619.tif 000003
【図２】
2010237619.tif 000004
【図３】
2010237619.tif 000005
【図４】
2010237619.tif 000006
【図５】
2010237619.tif 000007
【図６】
2010237619.tif 000008
【図７】
2010237619.tif 000009
【図８】
2010237619.tif 000010
【図９】
2010237619.tif 000011
【図１０】
2010237619.tif 000012
【図１１】
2010237619.tif 000013
【図１２】
2010237619.tif 000014
【図１３】
2010237619.tif 000015
【図１４】
2010237619.tif 000016
【図１５】
2010237619.tif 000017
【図１６】
2010237619.tif 000018
【手続補正書】
【提出日】平成22年4月15日(2010.4.15)
【手続補正１】
【補正対象書類名】特許請求の範囲
【補正対象項目名】全文
【補正方法】変更
【補正の内容】
【特許請求の範囲】
【請求項１】
第１の表示画面を有する第１の筐体と、
前記第１の筐体に可動連結され、第２の表示画面を有する第２の筐体と、
を含む表示装置であって、
前記第１の表示画面と前記第２の表示画面の双方で３次元画像表示をおこなう表示手段と、
前記第１の筐体と前記第２の筐体との間の連結状態を検出する連結状態検出手段と、
前記連結状態検出手段によって検出された連結状態に基づいて、前記表示手段による３次元画像表示に対する視角を算出する視角算出手段と、
前記連結状態検出手段によって検出された連結状態と、前記視角算出手段によって算出された視角とに基づいて、前記表示手段が前記３次元画像表示に用いるパラメータを選択する表示制御手段と、
を備えることを特徴とする表示装置。
【請求項２】
前記表示手段は、前記表示制御手段が選択したパラメータから、前記第１の表示画面と前記第２の表示画面を連動的に制御して、前記３次元画像表示をおこなう、
ことを特徴とする請求項１に記載の表示装置。
【請求項３】
前記表示装置は、前記第１の筐体と前記第２の筐体とが開閉可能に連結された折り畳み型の表示装置であり、
前記連結状態検出手段は、少なくとも、前記第１の筐体と前記第２の筐体とのなす角度を検出し、
前記視角算出手段は、前記連結状態検出手段が検出した角度に基づいて視角を算出する、
ことを特徴とする請求項１または２に記載の表示装置。
【請求項４】
前記連結状態検出手段が検出した角度に基づいて、前記折り畳み型の表示装置による表示の視認状態が良好であるか否かを判別する視認良否判別手段をさらに備え、
前記表示手段は、前記視認良否判別手段によって視認状態が良好でないと判別された場合、前記第１の表示画面、及び／又は、前記第２の表示画面を用いた前記３次元画像表示をおこなわない、
ことを特徴とする請求項３に記載の表示装置。
【請求項５】
前記表示装置は、前記第１の筐体と前記第２の筐体とが摺動可能に連結されたスライド型の表示装置であり、
前記連結状態検出手段は、少なくとも、前記第１の筐体と前記第２の筐体との間のスライド量を検出し、
前記視角算出手段は、前記連結状態検出手段が検出したスライド量に基づいて視角を算出する、
ことを特徴とする請求項１または２に記載の表示装置。
【請求項６】
前記連結状態検出手段が検出したスライド量に基づいて、前記第１または第２の表示画面による表示の視認状態が良好であるか否かを判別する視認良否判別手段をさらに備え、
前記表示手段は、前記視認良否判別手段によって視認状態が良好でないと判別された場合、前記第１の表示画面、及び／又は、前記第２の表示画面を用いた前記３次元画像表示をおこなわない、
ことを特徴とする請求項５に記載の表示装置。
【請求項７】
前記第１の表示画面と前記第２の表示画面による展開方向を検出する展開方向検出手段をさらに備え、
前記表示制御手段は、前記第１の表示画面と前記第２の表示画面とが左右方向に展開していることが検出された場合に、前記パラメータの選択をおこなう、
ことを特徴とする請求項１乃至６のいずれか１項に記載の表示装置。
【請求項８】
少なくとも、前記連結状態検出手段が検出する事項についてのパラメータを条件パラメータとして記憶するパラメータ記憶手段をさらに備える、
ことを特徴とする請求項１乃至７のいずれか１項に記載の表示装置。
【請求項９】
前記パラメータ記憶手段は、前記条件パラメータに対応づけられた、前記表示手段が表示動作に用いる制御パラメータを記憶する、
ことを特徴とする請求項８に記載の表示装置。
【請求項１０】
前記パラメータ記憶手段は、左右方向に展開している前記第１の表示画面と前記第２の表示画面を用いた３次元画像表示に用いられるパラメータのみを記憶し、
前記表示制御手段は、前記第１の表示画面と前記第２の表示画面とが上下方向に展開していることが検出された場合、前記パラメータ記憶手段が記憶している、左右方向に展開している前記第１の表示画面と前記第２の表示画面を用いた３次元画像表示に用いられるパラメータから、前記第１または第２の表示画面の正面から前記３次元画像表示が視認される場合のパラメータを選択する、
ことを特徴とする請求項８乃至９のいずれか１項に記載の表示装置。
【請求項１１】
前記表示制御手段は、前記連結状態検出手段によって検出された連結状態と、前記視角算出手段によって算出された視角とに基づいて条件パラメータを特定し、該特定した条件パラメータから特定される制御パラメータを選択する、
ことを特徴とする請求項８乃至１０のいずれか１項に記載の表示装置。
【請求項１２】
前記表示手段は、前記展開方向検出手段が検出した展開方向が、左右方向および上下方向のいずれでもない場合、前記第１の表示画面、及び／又は、前記第２の表示画面を用いた前記３次元画像表示をおこなわない、
ことを特徴とする請求項７乃至１１のいずれか１項に記載の表示装置。
【請求項１３】
前記パラメータには、前記３次元画像表示における飛び出し量を規定するパラメータを含む、
ことを特徴とする請求項１乃至１２のいずれか１項に記載の表示装置。
【請求項１４】
第１の表示画面を有する第１の筐体と、
前記第１の筐体に可動連結され、第２の表示画面を有する第２の筐体と、
を含む表示装置であって、
前記第１の表示画面と前記第２の表示画面の双方で３次元画像表示をおこなう表示手段と、
前記第１の筐体と前記第２の筐体との間の連結状態を検出する連結状態検出手段と、
前記連結状態検出手段によって検出された連結状態に基づいて、前記第１の表示画面および前記第２の表示画面における３次元画像表示における飛び出し量を異ならせるように表示させる表示制御手段と、
を備えることを特徴とする表示装置。
【請求項１５】
前記表示制御手段は、前記連結状態検出手段によって検出された連結状態に基づいて、前記第１の表示画面および前記第２の表示画面における３次元画像表示における飛び出し量を表示位置に応じて異ならせるように表示させる、
ことを特徴とする請求項１４に記載の表示装置。
【請求項１６】
前記連結状態検出手段によって検出された連結状態に基づいて、前記表示手段による３次元画像表示に対する視角を算出する視角算出手段を更に備え、
前記表示手段は、前記連結状態検出手段によって検出された連結状態と、前記視角算出手段によって算出された視角とに基づいて、前記第１の表示画面と前記第２の表示画面の双方で３次元画像表示をおこなう、
ことを特徴とする請求項１４または１５に記載の表示装置。
【請求項１７】
第１の表示画面を有する第１の筐体と、
前記第１の筐体に可動連結され、第２の表示画面を有する第２の筐体と、
を含む表示装置を制御するコンピュータに、
前記第１の表示画面と前記第２の表示画面の双方で３次元画像表示をおこなう機能と、
前記第１の筐体と前記第２の筐体との間の連結状態を検出する機能と、
検出された連結状態に基づいて、前記３次元画像表示に対する視角を算出する機能と、
前記検出された連結状態と、前記算出された視角とに基づいて、前記３次元画像表示に用いるパラメータを選択する機能と、
を実現させることを特徴とするプログラム。
【請求項１８】
第１の表示画面を有する第１の筐体と、
前記第１の筐体に可動連結され、第２の表示画面を有する第２の筐体と、
を含む表示装置を制御するコンピュータに、
前記第１の表示画面と前記第２の表示画面の双方で３次元画像表示をおこなう機能と、
前記第１の筐体と前記第２の筐体との間の連結状態を検出する機能と、
前記検出された連結状態に基づいて、前記第１の表示画面および前記第２の表示画面における３次元画像表示における飛び出し量を異ならせるように表示させる機能と、
を実現させることを特徴とするプログラム。
【手続補正２】
【補正対象書類名】明細書
【補正対象項目名】００２４
【補正方法】変更
【補正の内容】
【００２４】
上記目的を達成するため、本発明の第２の観点にかかる表示装置は、
第１の表示画面を有する第１の筐体と、
前記第１の筐体に可動連結され、第２の表示画面を有する第２の筐体と、
を含む表示装置であって、
前記第１の表示画面と前記第２の表示画面の双方で３次元画像表示をおこなう表示手段と、
前記第１の筐体と前記第２の筐体との間の連結状態を検出する連結状態検出手段と、
前記連結状態検出手段によって検出された連結状態に基づいて、前記第１の表示画面および前記第２の表示画面における３次元画像表示における飛び出し量を異ならせるように表示させる表示制御手段と、
を備えることを特徴とする。
上記表示装置において、
前記表示制御手段は、前記連結状態検出手段によって検出された連結状態に基づいて、前記第１の表示画面および前記第２の表示画面における３次元画像表示における飛び出し量を表示位置に応じて異ならせるように表示させるようにしてもよい。
また、上記表示装置において、
前記連結状態検出手段によって検出された連結状態に基づいて、前記表示手段による３次元画像表示に対する視角を算出する視角算出手段を更に備え、
前記表示手段は、前記連結状態検出手段によって検出された連結状態と、前記視角算出手段によって算出された視角とに基づいて、前記第１の表示画面と前記第２の表示画面の双方で３次元画像表示をおこなうようにしてもよい。
【手続補正３】
【補正対象書類名】明細書
【補正対象項目名】００２５
【補正方法】変更
【補正の内容】
【００２５】
上記目的を達成するため、本発明の第３の観点にかかるプログラムは、
第１の表示画面を有する第１の筐体と、
前記第１の筐体に可動連結され、第２の表示画面を有する第２の筐体と、
を含む表示装置を制御するコンピュータに、
前記第１の表示画面と前記第２の表示画面の双方で３次元画像表示をおこなう機能と、
前記第１の筐体と前記第２の筐体との間の連結状態を検出する機能と、
検出された連結状態に基づいて、前記３次元画像表示に対する視角を算出する機能と、
前記検出された連結状態と、前記算出された視角とに基づいて、前記３次元画像表示に
用いるパラメータを選択する機能と、
を実現させることを特徴とする。
上記目的を達成するため、本発明の第４の観点にかかるプログラムは、
第１の表示画面を有する第１の筐体と、
前記第１の筐体に可動連結され、第２の表示画面を有する第２の筐体と、
を含む表示装置を制御するコンピュータに、
前記第１の表示画面と前記第２の表示画面の双方で３次元画像表示をおこなう機能と、
前記第１の筐体と前記第２の筐体との間の連結状態を検出する機能と、
前記検出された連結状態に基づいて、前記第１の表示画面および前記第２の表示画面における３次元画像表示における飛び出し量を異ならせるように表示させる機能と、
を実現させることを特徴とする。